(57)【特許請求の範囲】
【請求項１】
金属細線を介して互いに接続した電極を、破壊容器に封入した破壊用物質に浸漬し、破壊容器を被破壊物に形成した装着孔に装着し、装着孔の開放側に、破壊時の衝撃圧力が装着孔の外方に逃げるのを防止するための土砂を充填し、金属細線に対して電気エネルギーを短時間で放電供給することにより金属細線を急激に溶融蒸発させて破壊用物質を気化させ、その膨張力で被破壊物を破壊させる被破壊物の破壊方法であって、
被破壊物を破壊する際、以下の条件式を用いたことを特徴とする被破壊物の破壊方法。
Ｌ≧４・Ｄ
Ｄ：装着孔の直径
Ｌ：装着孔における深さ方向の土砂の長さ
【発明の詳細な説明】
【０００１】
【発明の属する技術分野】
本発明は、放電による衝撃エネルギーを用いた被破壊物の破壊方法に関する。
【０００２】
【従来の技術】
従来、放電による衝撃エネルギーを用いてコンクリート構造物や岩石などの被破壊物を破壊するための破壊装置には、破壊容器内に、金属細線を介して互いに接続した一対の電極を封入して、破壊容器内に充填した破壊用物質（例えば水や油などが用いられる）に浸漬し、この金属細線に対して電気エネルギーを放電供給するためのエネルギー供給装置を設けたものがある。
【０００３】
この破壊装置を用いて被破壊物を破壊するための破壊方法は、破壊容器を被破壊物に形成した装着孔に装着し、装着孔の開放側に、破壊時の衝撃圧力が逃げるのを防止するために土砂などを充填する。
【０００４】
そして、エネルギー供給装置により電気エネルギーを短時間で金属細線に放電供給することにより、金属細線を急激に溶融蒸発させるとともに破壊用物質を気化させ、その際の膨張力で被破壊物を破壊させるものである。
【０００５】
【発明が解決しようとする課題】
上記被破壊物の破壊方法では、装着孔の径と充填物の充填長さの関係が被破壊物の破壊状況に影響するが、装着孔の径と充填物の充填長さの関係は作業者の経験にたよっているため、被破壊物を十分に破壊することができない場合が生じていた。
【０００６】
そこで本発明は、上記課題を解決し得る被破壊物の破壊方法の提供を目的とする。
【０００７】
【課題を解決するための手段】
本発明における課題を解決するための手段は、金属細線を介して互いに接続した電極を、破壊容器に封入した破壊用物質に浸漬し、破壊容器を被破壊物に形成した装着孔に装着し、装着孔の開放側に、破壊時の衝撃圧力が装着孔の外方に逃げるのを防止するための土砂を充填し、金属細線に対して電気エネルギーを短時間で放電供給することにより金属細線を急激に溶融蒸発させて破壊用物質を気化させ、その膨張力で被破壊物を破壊させる被破壊物の破壊方法であって、被破壊物を破壊する際、以下の条件式を用いたことを特徴とする。
Ｌ≧４・Ｄ
Ｄ：装着孔の直径
Ｌ：装着孔における深さ方向の土砂の長さ
【０００８】
【発明の実施の形態】
以下、本発明の実施の形態を図１〜図４に基づいて説明する。
本発明の実施の形態に係る破壊方法は、宅地造成地の岩盤破壊および岩石の小割り作業、あるいはトンネルの仕上げ破壊やコンクリート構造物などの被破壊物Ｈ１の解体に用いられるものである。
【０００９】
そして図４の構成図に示すように、この破壊方法における破壊装置１の破壊プローブ１Ａは、プラスチックゴム（合成ゴム）や防水処理紙あるいはガラスから形成され被破壊物Ｈ１に、所定の深さで形成した装着孔２０ａに装着する破壊容器２に、発生衝撃力伝達用の破壊用物質（例えば水などが用いられる）３が充填され、破壊容器２の封入栓２ａに、一対の電極４の端子５に接続した導線６が挿通され、電極４どうしの途中は、保持具７によって、離間距離を一定に保持され、先端部どうしに金属細線（例えばＣｕからなる）８が溶接などにより接続され、前記破壊用物質３に浸漬されている。
【００１０】
また破壊装置１には、図３に示すように、金属細線８に電極４を介して電気エネルギーを供給するための、エネルギー供給装置９が設けられている。
このエネルギー供給装置９は、電極４の端子５間に接続された電源装置１０と、この電源装置１０と端子５間に並列接続されたコンデンサー１３と、コンデンサー１３と電源装置１０との間に接続して図示しない充電スイッチおよび充電抵抗器を備えた充電制御用の制御装置１１と、この制御装置１１とコンデンサー１３および端子５の間に接続された放電スイッチ１２とから構成されている。
【００１１】
次に、上記のように構成した破壊装置１を用いて被破壊物Ｈ１を破壊する方法を説明すると、予め所定のドリルで装着孔２０ａを所定の深さに形成しておき、一方で破壊容器２の内部に破壊用物質３を注入し、電極４間に金属細線８を取付け、金属細線８を破壊用物質３に浸漬して封入する。
【００１２】
このようにした破壊プローブ１Ａを、装着孔２０ａの奥まで挿入して装着し、その後装着孔２０ａの開放側に土砂（一例として砂を用いているが、ここでいう土砂とは、砂単体や砂を含んだ土、粘土を含んだ土、あるいは粘土単体などを意味する）２５を充填して蓋をする。
【００１３】
そして、装着孔２０ａを形成する際、装着孔２０ａの直径Ｄ(cm)と、装着孔２０ａに込める土砂２５の深さ方向の長さＬ(cm)との関係を、Ｌ≧４・Ｄとなるようにしておく。
【００１４】
このように破壊プローブ１Ａを装着孔２０ａに設置する一方で、金属細線８の端子５に接続したエネルギー供給装置９のコンデンサー１３に、制御装置１１の充電スイッチをオンすることにより電気エネルギーを蓄積しておき、この蓄積した電気エネルギーを放電スイッチ１２をオンして金属細線８に供給する。
【００１５】
そうすると、電気エネルギーが短時間で金属細線８に供給され、金属細線８が急激に溶融気化するとともに、破壊用物質３が急激に気化し、その際に発生する衝撃圧力で被破壊物Ｈ１が破壊されたり脆弱化する。
【００１６】
上記のような破壊方法における破壊状況の結果を、図２のグラフ図に示す。このグラフ図は、横軸をＤ、縦軸をＬとしたもので、このグラフ図において、斜線部分が、被破壊物Ｈ１が破壊された破壊可能領域を示し（○印は被破壊物Ｈ１を破壊でき、×印は破壊できなかった場合）、破壊可能、破壊不可能の限界はＬ＝４・Ｄの関係となることが分かった。
【００１７】
そこで、装着孔２０ａの直径Ｄと、装着孔２０ａに込める土砂２５の深さ方向の長さＬとの関係を、Ｌ≧４・Ｄとした条件で破壊を行うことにより、作業者の経験や勘に頼ることなく（熟練を要することなく）、確実に被破壊物Ｈ１を破壊することができる。
【００１８】
このように、本発明の実施の形態によれば、被破壊物Ｈ１の破壊時に、装着孔２０ａの直径Ｄ(cm)と、装着孔２０ａに充填する土砂２５の装着孔２０ａの深さ方向の長さＬ(cm)との関係を、Ｌ≧４・Ｄとしたので、作業者の経験や勘に頼ることなく、確実に被破壊物Ｈ１を破壊することができる。
【００１９】
なお上記実施の形態では、装着孔２０ａに土砂２５の一例として砂を充填したがこれに限定されるものではなく、例えば粘土などを用いてもよく、この場合も砂と同様の結果が得られた。
【００２０】
【発明の効果】
以上の説明から明らかな通り、本発明は、被破壊物に形成した装着孔の直径Ｄと、破壊容器装着後に装着孔に充填する土砂の、装着孔における深さ方向の長さＬとの関係を、
Ｌ≧４・Ｄ
としたので、従来のように、作業者の経験や勘に頼ることなく、確実に被破壊物を破壊することができる。
【図面の簡単な説明】
【図１】本発明の実施の形態を示す破壊装置の破壊プローブおよび土砂を装填した状態の断面図である。
【図２】同じく装着孔の直径Ｄと装着孔に充填する土砂の深さ方向の長さＬとの関係を示すグラフ図である。
【図３】同じく破壊装置の全体構成図である。
【図４】同じく破壊プローブの構成を示す断面図である。
【符号の説明】
１      破壊装置
１Ａ    破壊プローブ
２      破壊容器
３      破壊用物質
４      電極
８      金属細線
９      エネルギー供給装置
１０    電源装置
１１    制御装置
１２    放電スイッチ
１３    コンデンサー
２０ａ  装着孔
２５    土砂
Ｄ      装着孔の直径
Ｈ１    被破壊物
Ｌ      深さ方向の長さ
【図１】
0003770663.tif 000002
【図２】
0003770663.tif 000003
【図３】
0003770663.tif 000004
【図４】
0003770663.tif 000005